(57)【要約】【課題】壁面２の上下２箇所に固定タイプのシャワーハンガー３，４を取り付ける仕様の浴室等に対し、スライド式シャワー装置への変更や手すり機能の付加が簡単に行えるようにする。【解決手段】以下の構成の手すり１を採用する。スライドタイプのシャワーハンガー８として兼用できる手すりバー５と、下部ブラケット７及び上部ブラケット６とを有している。上下のブラケット６，７にはそれらの取付対象になっている各取付位置３Ａ，４Ａを覆い隠す取付板部２５，１７が設けられ、この取付板部２５，１７に取付孔３０，３１，２２，２３が設けられている。【選択図】　　　図１
0003097939.tif 000002
【実用新案登録請求の範囲】
【請求項１】
スライドタイプのシャワーハンガー（８）に対するスライドバーとして兼用できる手すりバー（５）と、この手すりバー（５）の下端部を下から受け止める下部ブラケット（７）と、手すりバー（５）の上部寄りに嵌められて上下位置変更自在とされた上部ブラケット（６）とを有し、上下のブラケット（６，７）にはそれらの取付対象になっている各取付位置（３Ａ，４Ａ）を覆い隠す取付板部（２５，１７）が設けられ、この取付板部（２５，１７）に取付孔（３０，３１）（２２，２３）が設けられ、固定タイプのシャワーハンガー（３、４）の取付位置（３Ａ、４Ａ）と兼用可能とされていることを特徴とするシャワーハンガー兼用手すり。
【請求項２】
固定タイプの上部シャワーハンガー（３）及び下部シャワーハンガー（４）用にそれぞれ取付位置（３Ａ、４Ａ）が設けられた壁面（２）のうち、上部シャワーハンガー（３）用の取付位置（３Ａ）を利用して取り付ける上部ブラケット（６）と、下部シャワーハンガー（４）用の取付位置（４Ａ）を利用して取り付ける下部ブラケット（７）と、これら上下のブラケット（６，７）間に掛け渡され且つ壁面（２）に所定間隔をおいた状態で保持される手すりバー（５）とを有し、手すりバー（５）はスライドタイプのシャワーハンガー（８）として兼用可能であり、上下のブラケット（６，７）にはそれらの取付対象になっている各取付位置（３Ａ，４Ａ）を覆い隠す取付板部（２５，１７）が設けられ、この取付板部（２５，１７）に取付孔（３０，３１）（２２，２３）が設けられたものであって、上下のブラケット（６，７）のうち少なくとも一方の取付板部（２５，１７）ではこれの取付対象になっている取付位置（３Ａ，４Ａ）に取付孔（３０，３１）（２２，２３）を合致可能にする位置調節構造になっていることを特徴とするシャワーハンガー兼用手すり。
【請求項３】
前記取付板部（２５，１７）に設けられる位置調節構造は、取付孔（３０，３１）（２２，２３）の孔形状を所望する調節方向へ拡大させることによって形成されていることを特徴とする請求項２記載のシャワーハンガー兼用手すり。
【請求項４】
前記上下のブラケット（６，７）は、板素材をＬ字型に折曲することによって手すりバー（５）を保持する部分と取付板部（２５，１７）とを形成させたものであることを特徴とする請求項１乃至請求項３のいずれかに記載のシャワーハンガー兼用手すり。
【請求項５】
前記手すりバー（５）は、縦バー部（５３）とこの縦バー部（５３）の下端で横向きに突出して設けられる横バー部（５４）とを有していることを特徴とする請求項１乃至請求項４のいずれかに記載のシャワーハンガー兼用手すり。
【考案の詳細な説明】
【０００１】
【考案の属する技術分野】
本考案は、シャワーハンガーとして兼用することのできる手すりに関するものである。
【０００２】
【従来の技術】
浴室にシャワーを設けるには、シャワーヘッドを保持するためのシャワーハンガーを、腰掛けに座って丁度良い高さと、立って丁度良い高さとの上下２箇所に固定的に取り付けるのが一般的であった（例えば、特許文献１等参照）が、これでは言うまでもなく、シャワーヘッドは上下２箇所でしか保持させることができず、様々な高さでの使用態様には対応しきれないということがあった。そこで、縦方向に架設したガイドバーに沿わせてスライドタイプのシャワーハンガーをスライド自在に保持させ、任意の位置へ停止できるようにしたスライド式シャワー装置が提案されている。
【０００３】
一方、高齢者や身体障害者への配慮（バリアフリー）が声高に叫ばれる昨今では、浴室内に手すりを設けることが提案されており、ここにおいて上記したスライド式シャワー装置のガイドバーを手すりとして兼用させることが提案され、既に慣用の技術となっている（例えば、特許文献２や３等参照）。
【０００４】
【特許文献１】
特開平１１−１７２７２９号公報
【特許文献２】
特開平１１−１４０９３０号公報
【特許文献３】
特開平８−９３０１９号公報
【０００５】
【考案が解決しようとする課題】
壁面の上下２箇所に固定タイプのシャワーハンガーを取り付ける仕様の浴室では、言うまでもなく、壁面の上下２箇所に、それぞれシャワーハンガーを取り付けるためのネジ孔又は雌ねじ形成用スリーブ部材を挿入するための孔が設けられている。そのため、これら上下のシャワーハンガーを止めて新たにスライド式シャワー装置を取り付けようとすると、壁面の上下２箇所に設けられたネジ孔や雌ねじ形成用スリーブ部材用の挿入孔が露呈し、不細工になったり防水上の不具合になったりするので、これらを一旦、目立たないように穴埋めする手間が必要になる。また、そのうえでスライド式シャワー装置を取り付けるためのネジ孔又は雌ねじ形成用スリーブ部材用の挿入孔を新設するための手間も、当然に必要になる。
【０００６】
なお、壁面の上下２箇所に固定タイプのシャワーハンガーを取り付ける仕様の浴室に対し、単に手すりを追加しようとする場合でも、手すりを取り付けるためのネジ孔又は雌ねじ形成用スリーブ部材用の挿入孔を新設するための手間が必要になることは言うまでもない。
本考案は、上記事情に鑑みてなされたものであって、壁面の上下２箇所に固定タイプのシャワーハンガーを取り付ける仕様の浴室等に対し、スライド式シャワー装置への変更や手すり機能の付加が簡単に行えるようにしたシャワーハンガー兼用手すりを提供することを目的とする。
【０００７】
【課題を解決するための手段】
前記目的を達成するために、本考案は次の手段を講じた。
即ち、本考案に係るシャワーハンガー兼用手すり１は、手すりバー５（スライドタイプのシャワーハンガー８に対するスライドバーとして兼用できるもの）と、この手すりバー５の下端部を下から受け止める下部ブラケット７と、手すりバー５の上部寄りに嵌められる上部ブラケット６とを有している。そして、上下のブラケット６，７にはそれらの取付対象になっている各取付位置３Ａ，４Ａを覆い隠す取付板部２５，１７が設けられ、この取付板部２５，１７に取付孔（３０，３１）（２２，２３）が設けられている。
【０００８】
このように上部ブラケット６は手すりバー５に対して上下方向の位置付けを変更できるので、上部ブラケット６と下部ブラケット７との上下間隔を自在に設定できることになる。そのため、固定タイプの上部シャワーハンガー３及び下部シャワーハンガー４用にそれぞれ取付位置３Ａ，４Ａが設けられた壁面２において、各取付位置３Ａ，４Ａの相互間隔に種々様々な寸法のものがあったとしても、上部シャワーハンガー３用の取付位置３Ａを利用して上部ブラケット６を取り付け、下部シャワーハンガー４用の取付位置４Ａを利用して下部ブラケット７を取り付ける、といったことが可能になる。すなわち、上下のシャワーハンガー３，４用の各取付位置３Ａ，４Ａ（ネジ孔又は雌ねじ形成用スリーブ部材用の挿入孔が設けられた箇所）をそのまま利用できることになり、元のネジ孔又は雌ねじ形成用スリーブ部材用の挿入孔を穴埋めしたり、新設し直したりする手間は省ける。
【０００９】
以上のことから、本考案に係るシャワーハンガーでは、その取付位置を、固定タイプのシャワーハンガーの取付位置と兼用することが可能となる。これによって、固定タイプのシャワーハンガーが浴室内に既に取り付けられている場合であっても、交換に際し、新たな取付孔を設ける必要がないので、ドリル等による取付孔の穿設行程を省略して、交換作業を容易にかつ短時間で行うことが可能になり、この点で有利なものとなっている。
上下のブラケット６，７に設けられた取付板部２５，１７には上記したように取付孔（３０，３１）（２２，２３）が設けられているが、上下のブラケット６，７のうち少なくとも一方の取付板部２５，１７では、これの取付対象になっている取付位置３Ａ，４Ａに対し、上記取付孔（３０，３１）（２２，２３）を合致可能にするための位置調節構造を採用しておけばよい。
【００１０】
このような位置調節構造は、例えば、取付孔（３０，３１）（２２，２３）の孔形状を所望する調節方向へ拡大させる（長孔にしたり径大にしたりする）ことによって形成すればよい。これであれば、上部ブラケット６や下部ブラケット７の位置調節が更に柔軟にできることになる。
上下のブラケット６，７は、板素材をＬ字型に折曲することによって手すりバー５を保持する部分と取付板部２５，１７とを形成させる構造とするのがよい。このようにすると、上部ブラケット６や下部ブラケット７は、それぞれその上下姿勢（取付板部２５，１７が壁面２に沿って上伸び姿勢になるか下伸び姿勢になるか）を変更したときに、取付孔（３０，３１）（２２，２３）の及ぶ範囲を拡大できることになる。すなわち、それだけ壁面２の各取付位置３Ａ，４Ａ（ネジ孔又は雌ねじ形成用スリーブ部材用の挿入孔が設けられた箇所）に対する合致可能範囲が広がることになり、汎用性が高くなる。
【００１１】
手すりバー５は、縦バー部５３とこの縦バー部５３の下端で横向きに突出して設けられる横バー部５４とを有したものとすることができる。これによって、手すり１としての使い勝手を高めることができる。
【００１２】
【考案の実施の形態】
以下、本考案の実施の形態を、図面に基づき説明する。
図１乃至図９は、本考案に係る手すり１の第１実施形態を示している。このうち図１から明らかなように、この手すり１は、壁面２の上下２箇所に固定タイプのシャワーハンガー３，４を取り付ける仕様になっている浴室等に対して、これら両シャワーハンガー３，４の取付位置３Ａ，４Ａを利用して、これらの代わりに取り付けができるようになっている。
【００１３】
この手すり１は、手すりバー５と上下のブラケット６，７とを有したもので、手すりバー５は上記した固定タイプのシャワーハンガー３，４ではなく、スライドタイプのシャワーハンガー８を上下方向へスライド自在に保持させるためのスライドバーを兼用するものとなっている。すなわち、浴槽への出入り時等に文字通りの手すりとして使用できるだけでなく、シャワーハンガー８へシャワーヘッド９を保持させた状態として、このシャワーヘッド９を所望高さへセットさせるためのものとして使用できる。
【００１４】
手すりバー５は、老若男女を通じて握りやすい太さで形成されており、またその長さは、固定タイプのシャワーハンガー３，４が壁面２に取り付けられるときの上下間隔（壁面２に設けられた上下の取付位置３Ａ，４Ａの上下間距離）と同等以上になるように形成されている。本実施形態では、手すりバー５の外径を３４ｍｍ、長さを９９０ｍｍとした。図２に一部破砕して示すように、この手すりバー５は、例えばステンレスパイプ１２に対して軟質塩化ビニール樹脂の被覆層１３を設けた構造とすることもできる。勿論、ステンレスパイプ１２をむき出しの状態にして使用してもよいし、塩化ビニール等の樹脂パイプで形成させるものとしてもよい。またこの手すりバー５の両端部には、下部ブラケット７等をネジ止めするときに用いるナット部材１４を設けておけばよい。このナット部材１４は、短円柱形をしたものとしてその中心部に雌ねじ孔１５が貫通形成されたものであって、パイプ内に溶接等によって固定されている。このナット部材１４の溶接位置はパイプ内方へ幾分入り込んだ位置付けとなっている。
【００１５】
下部ブラケット７は、手すりバー５の下端部を下から受け止めるもので、壁面２へ向けて延びた先の部分には取付板部１７が設けられている。図４及び図５に示すように、この下部ブラケット７は、板素材をＬ字型に折曲することで形成されており、この場合、折曲されたうちの一片が手すりバー５を保持する部分１８とされ、他方の一片が上記した取付板部１７とされる。手すりバー５を保持する部分１８には、手すりバー５のナット部材１４に固定ネジ１９をネジ止めさせるためのネジ通孔２０が設けられている。なお、手すりバー５においてナット部材１４がパイプ内方に入り込んで設けられているため、固定ネジ１９を強く螺合させることでバネ座金のような締まり効果が生起し、この固定ネジ１９の緩み止めとなって好適である。
【００１６】
この取付板部１７は、壁面２への取付位置４Ａを覆い隠すことができる大きさとされており、取付位置４Ａに対し、固定タイプの下部シャワーハンガー４を取り付けるために設けられたネジ孔や雌ねじ形成用スリーブ部材用の挿入孔に対応する取付孔２２，２３が設けられている。多くの場合、取付位置４Ａに設けられたネジ孔や雌ねじ形成用スリーブ部材用の挿入孔は２個であり、これらが縦方向に並んだ配置とされているため、本実施形態では取付板部１７に設けられる取付孔２２，２３もこれに合わせた配置としてある。ただ、このうち一方の取付孔２２は丸孔としたが、他方の取付孔２３は手すりバー５に沿って縦方向に長い長孔とした。
【００１７】
そのため、これら取付孔２２，２３に差し込むネジ２４の相互間隔は、長孔の取付孔２３によって許容される範囲で自在に変更できるものとなっている。すなわち、この下部ブラケット７は、取付位置４Ａのネジ孔や雌ねじ形成用スリーブ部材用の挿入孔に多少の寸法バラツキや、採用寸法の幅があったとしても、これらに対して取付孔２２，２３をそれぞれ合致させることが可能であり、これによって位置調節構造が構成されている。
固定タイプの下部シャワーハンガー４によっては、これを取り付けるために設けられるネジ孔や雌ねじ形成用スリーブ部材用の挿入孔が横配列になったものや２個以上となったもの等があり得るが、その場合には取付板部１７の大きさや取付孔２２，２３の配置及び形成数を変更すればよい。なお、この取付板部１７の大きさとしては際限なく大きくすればよいというものではなく、なるべくなら図９に示すように正面から見たときに手すりバー５の陰にその殆どが隠れるような大きさとするのがよい。
【００１８】
上部ブラケット６は、手すりバー５の上部寄りに嵌められて上下位置変更自在とされる構造になったもので、壁面２へ向けて延びる部分には取付板部２５が設けられている。図６及び図７に示すように、この上部ブラケット６は、板素材をＬ字型に折曲すると共に一片側には手すりバー５に外嵌可能な輪部２６が設けられており、他方の一片が上記した取付板部２５とされる。輪部２６には、周方向の一箇所又は複数箇所（図例では対向する二箇所とした）に、手すりバー５の側面へセットビス（図示略）を打ち付けさせるためのネジ通孔２７が設けられている。すなわち、手すりバー５の任意の位置へこの上部ブラケット６を配置させたうえで輪部２６のネジ通孔２７へセットビスを螺合させれば、その位置で上部ブラケット６を固定させることができ、結果として、下部ブラケット７（手すりバー５の下端）からこの上部ブラケット６までの距離は任意に設定できることになる。
【００１９】
取付板部２５については、下部ブラケット７の取付板部１７と略同様な構成となっている。すなわち、壁面２への取付位置３Ａを覆い隠すことができる大きさであり、取付位置３Ａに対し、固定タイプの上部シャワーハンガー３を取り付けるために設けられたネジ孔や雌ねじ形成用スリーブ部材用の挿入孔に対応する取付孔３０，３１が設けられている。そして、一方の取付孔３１が縦方向の長孔とされることで、これら取付孔３０，３１に差し込むネジの相互間隔が変更可能となり、これによって位置調節構造が構成されている。また正面から見たときに手すりバー５の陰にその殆どが隠れるような大きさとなっている。
【００２０】
このような構成の手すり１では、図１に示したように、固定タイプの上部シャワーハンガー３用に取付位置３Ａが設けられていると共に、固定タイプの下部シャワーハンガー４用に取付位置４Ａが設けられた浴室等の壁面２において、各取付位置３Ａ，４Ａの相互間隔として種々様々な寸法のものがあっとしても、上部シャワーハンガー３用の取付位置３Ａを利用して上部ブラケット６を取り付け、また下部シャワーハンガー４用の取付位置４Ａを利用して下部ブラケット７を取り付ける、といったことが可能になる。
【００２１】
このとき、取付位置３Ａと取付位置４Ａとの相互間隔に合わせて手すりバー５に対する上部ブラケット７の位置付けを適宜変更させ、適当な箇所を決めたら輪部２６のネジ通孔２７へセットビスを螺合すればよい。もし、このような上部ブラケット７の位置変更だけでは対処できないときには、図１０に示すように手すりバー５に対する上部ブラケット６や下部ブラケット７の上下姿勢を変更する（上部ブラケット６では取付板部２５を上伸び姿勢にし、下部ブラケット７では取付板部１７を下伸び姿勢にする）といったことを行えばよい。
【００２２】
このようなことから、固定タイプの上下のシャワーハンガー３，４用の各取付位置３Ａ，４Ａ（ネジ孔又は雌ねじ形成用スリーブ部材用の挿入孔が設けられた箇所）はそのまま利用できることになり、元のネジ孔又は雌ねじ形成用スリーブ部材用の挿入孔を穴埋めしたり、新設し直したりする手間は省ける。
図３に示すように、手すりバー５の上端部には防水キャップ３２を被せておけばよい。この防水キャップ３２は、手すりバー５に設けたナット部材１４を利用してこれに固定ネジ３３によりネジ止めすればよいが、嵌着や接着、圧入によるものとしてもよい。
【００２３】
図１１に示すように、壁面２に段差４０が設けられているような場合には、上部ブラケット６として、輪部２６を突出させる長さが異なった種々のタイプを準備しておき、この中で突出サイズが適合するタイプを使用すればよい。また、上部ブラケット６の取付板部２５に設ける取付孔３０，３１や、下部ブラケット７の取付板部１７に設ける取付孔２２，２３は、図１２や図１３に示すように、一方を横長孔４１で他方を縦長孔４２としたり、或いは図示は省略するが、横長孔を縦並びに多数設けたり縦長孔を横並びに多数設けたりすることもできる。
【００２４】
図１４乃至図１６は、本発明に係る手すり１の第２実施形態を示している。この第２実施形態の手すり１は、上部ブラケット６の取付板部２５や下部ブラケット７の取付板部１７が壁面２側へ開口を向けたカップ形に形成されていると共に、このカップ形の開口内へ収納可能とされる先付けボス４５が別部材として具備された構造になったものである。
取付板部２５，１７の開口は円形開口とし、また先付けボス４５はこの円形開口にガタツキ無く嵌る円盤形として、互いの内外周面間でネジによる螺合関係が得られるようにして、互いに着脱自在にしておけばよい。勿論、嵌合関係、係合関係、ネジを用いたネジ止め関係等によって取付板部２５，１７と先付けボス４５とを着脱自在なものとしてもよい。そして先付けボス４５には、３個以上の取付孔４６〜４８が設けられている。また、先付けボス４５の正面部分において、これら取付孔４６〜４８の開口周部はザグリ４９が施されたものとなっており、各取付孔４６〜４８に固定ネジ５０が差し込まれたときにそのネジ頭の肉厚分を吸収して突出しないようにできる構造である。図例では先付けボス４５の正面外縁部だけをリブ状に残して略全面にザグリ４９が形成されたものとしたが、個々の取付孔４６〜４８に個別にザグリ４９を形成させてもよいことは言うまでもない。
【００２５】
本実施形態において取付孔４６〜４８は３個としている。これら３個の取付孔４６〜４８はいずれも長孔として形成されており、うち２個の取付孔４６，４７はそれらの長手方向を先付けボス部４５の直径方向に沿った一軸配置とし、残る取付孔４８はこれらに直交したものとすることで、３個全体でＴ字状の配置を呈したものとしてある。従ってこの先付けボス４５は、図１５に示すように固定ネジ５０による３箇所止めや２箇所止めが適宜選択できるものである。
なお、各取付孔４６〜４８は、それらの長手方向を先付けボス４５に対する放射状配置とさせたり、三つ巴状の円周配置とさせたりすることもできる。
【００２６】
図１７及び図１８に示すように、手すりバー５は、縦バー部５３とこの縦バー部５３の下端で横向きに突出して設けられる横バー部５４とを有して、Ｌ字状又は逆Ｔ字状とすることもできる。これによって、手すり１としての使い勝手を高めることができる。これらの場合、下部ブラケット７も、上部ブラケット６と同様に手すりバー５に沿って移動自在なものとして形成させてもよい。また横バー部５４に対して設けてもよい。
なお、横バー部５４の長さは適宜であり、長く形成させる場合であれば必要に応じて下部ブラケット７を追加すればよい。
【００２７】
ところで、本考案は、上記各実施形態に限定されるものではなく、実施の形態に応じて適宜変更可能である。
【００２８】
【考案の効果】
以上の説明から明らかなように、本考案に係るシャワーハンガー兼用手すりは、壁面の上下２箇所に固定タイプのシャワーハンガーを取り付ける仕様の浴室等に対し、スライド式シャワー装置への変更や手すり機能の付加が簡単に行える。
【図面の簡単な説明】
【図１】本考案に係る手すりの第１実施形態を壁面へ取り付ける状況を説明した斜視図である。
【図２】第１実施形態の手すりにおける下部の側断面図である。
【図３】第１実施形態の手すりにおける上部の側面図である。
【図４】図２のＡ−Ａ線矢視状態で下部ブラケットを示した図である。
【図５】図２のＢ−Ｂ線矢視状態で下部ブラケットを示した図である。
【図６】図３のＣ−Ｃ線矢視状態で上部ブラケットを示した図である。
【図７】図３のＤ−Ｄ線矢視状態で上部ブラケットを示した図である。
【図８】本考案に係る手すりの第１実施形態を示した側面図である。
【図９】図８に対応する正面図である。
【図１０】第１実施形態の手すりにおける別の取り付け方を例示した側面図である。
【図１１】第１実施形態の手すりにおいて別例の上部ブラケットによる取付状況を示した側面図である。
【図１２】上部ブラケットや下部ブラケットの取付板部としての別例を示した正面図（図４と比較し易く描いた図）である。
【図１３】図１２とは更に別例を示した正面図である。
【図１４】本考案に係る手すりの第２実施形態を示した側面図である。
【図１５】第２実施形態の手すりで使用される上部ブラケットの分解斜視図である。
【図１６】図１５に対応する側断面図である。
【図１７】手すりバーをＬ字状に形成させた例を示した正面図である。
【図１８】手すりバーを逆Ｔ字状に形成させた例を示した正面図である。
【符号の説明】
１　　手すり
２　　壁面
３　　固定タイプの上部シャワーハンガー
３Ａ　取付位置
４　　固定タイプの下部シャワーハンガー
４Ａ　取付位置
５　　手すりバー
６　　上部ブラケット
７　　下部ブラケット
８　　スライドタイプのシャワーハンガー
１７　　取付板部
２２　　取付孔
２３　　取付孔
２５　　取付板部
３０　　取付孔
３１　　取付孔
５３　　縦バー部
５４　　横バー部
【図１】
0003097939.tif 000003
【図２】
0003097939.tif 000004
【図３】
0003097939.tif 000005
【図４】
0003097939.tif 000006
【図５】
0003097939.tif 000007
【図６】
0003097939.tif 000008
【図７】
0003097939.tif 000009
【図８】
0003097939.tif 000010
【図９】
0003097939.tif 000011
【図１０】
0003097939.tif 000012
【図１１】
0003097939.tif 000013
【図１２】
0003097939.tif 000014
【図１３】
0003097939.tif 000015
【図１４】
0003097939.tif 000016
【図１５】
0003097939.tif 000017
【図１６】
0003097939.tif 000018
【図１７】
0003097939.tif 000019
【図１８】
0003097939.tif 000020